(57)【特許請求の範囲】
【請求項１】
複数枚のウェットシートが、容器または包装体内に収納され、容器または包装体の取出口から順に上方へ取出し自在に組み合わされたウェットシート積層体において、
それぞれのウェットシートは、その辺と平行な第１の折れ線と第２の折れ線とで折られ、第１の折れ線と第２の折れ線とで挟まれた中間面と、第１の折れ線を介して前記中間面の上側に折り返された上側の折片と、第２の折れ線を介して前記中間面の下側に折り返された下側の折片とを有し、
前記中間面と前記下側の折片とが同じ大きさで、上側の折片が前記中間面よりも小さく形成されており、
上位のウェットシートの第２の折れ線が、下位のウェットシートの中間面と上側の折片との間に挟まれて、上位のウェットシートの中間面と下位のウェットシートの上側の折片とが密着し、且つ上位のウェットシートの下側の折片と下位のウェットシートの中間面とが密着するように、それぞれのウェットシートが重ねられており、
上位のウェットシートの第２の折れ線が、下位のウェットシートの第１の折れ線の内側に位置し、且つ上位のウェットシートの第２の折れ線と、下位のウェットシートの第１の折れ線との間に間隔が空けられていることを特徴とするウェットシートの積層体。
【請求項２】
前記第１の折れ線は、ウェットシートの辺の一方の端部から、辺の全長の１／５だけ内側へ寄った位置にあり、前記第２の折れ線は、前記辺の他方の端部から、辺の全長の２／５だけ内側に寄った位置にある請求項１記載のウェットシートの積層体。
【発明の詳細な説明】
【０００１】
【発明の属する技術分野】
本発明は、ウェットシートを取り出したとき、次に連続するウェットシートを任意の長さで突出させることができるウェットシートの積層体に関する。
【０００２】
【従来の技術及び解決しようとする課題】
ウェットティッシュやウェットタオルなどのウェットシートの積層体は、未使用時又は使用していないときに湿潤状態を維持するため、容器又は包装体内に密封して収納される。このようなウェットシートの積層体においては、容器又は包装体に設けられた取出口から順次連続して取出すことができるように、折り畳まれた複数のウェットシートが上下に組み合わされ、且つ互いに重なった部分を持つようにして積層されている。取出口に位置する上位のウェットシートを取り出すと、次に連続する下位のウェットシートの上端部が容器の取出口より突出する。
【０００３】
このとき、ウェットシートは液体を含浸した状態で互いに組み合わされているため、シートどうしは液体を介在させて面接触しており、このシート間の液体の表面張力がシート間に強い密着力（係合力）を発揮させている。よって、上位のウェットシートを取り出したとき、次に連続するウェットシートの上端部のみを突出させるはずが、次に連続するウェットシートにおいて上側のウェットシートが密着している部分の全て、すなわち次に連続するウエットシートの上端部だけではなくその他の部分までもが上側のウェットシートに密着した状態で取出口へと引き出されてしまう。したがって、次に連続するウェットシートの突出量が過剰になる場合があった。
【０００４】
ウェットシートの取出口からの突出量が長いと、容器又は包装体に通常設けられている取出口を覆う蓋の面積内にシートの突出部が収まらなくなり、蓋からはみ出す部分が生じる。そして、このはみ出している部分でウェットシートが乾燥してしまう。また、ウェットシートが蓋からはみ出すと蓋を確実に閉められなくなり、容器又は包装体内の密閉度が低下し、内部のウェットシートも乾燥しやすくなる。
【０００５】
本発明は上記従来の課題を解決するものであり、上位のウェットシートを引き出したとき、次に連続する下位のウェットシートの突出量を調節することができるウェットシートの積層体を提供することを目的としている。
【０００６】
【課題を解決するための手段】
上記従来の課題及び目的は、複数枚のウェットシートが、容器または包装体内に収納され、容器または包装体の取出口から順に上方へ取出し自在に組み合わされたウェットシート積層体において、
それぞれのウェットシートは、その辺と平行な第１の折れ線と第２の折れ線とで折られ、第１の折れ線と第２の折れ線とで挟まれた中間面と、第１の折れ線を介して前記中間面の上側に折り返された上側の折片と、第２の折れ線を介して前記中間面の下側に折り返された下側の折片とを有し、
前記中間面と前記下側の折片とが同じ大きさで、上側の折片が前記中間面よりも小さく形成されており、
上位のウェットシートの第２の折れ線が、下位のウェットシートの中間面と上側の折片との間に挟まれて、上位のウェットシートの中間面と下位のウェットシートの上側の折片とが密着し、且つ上位のウェットシートの下側の折片と下位のウェットシートの中間面とが密着するように、それぞれのウェットシートが重ねられており、
上位のウェットシートの第２の折れ線が、下位のウェットシートの第１の折れ線の内側に位置し、且つ上位のウェットシートの第２の折れ線と、下位のウェットシートの第１の折れ線との間に間隔が空けられていることを特徴とするウェットシートの積層体によって達成される。
【０００７】
本発明においては、上位のウェットシートの下側の折れ線折片を形成する折り畳み部の折れ線と、次に連続するウェットシートの上側の折れ線折片を形成する折り畳み部の折れ線との間隔が３〜８ｍｍとなるように各ウェットシートを組み合せることがさらに好ましい。突出量の調整がしやすくなる。
【０００８】
【発明の実施の形態】
以下、本発明を図面を参照しながら説明する。図１（Ａ）（Ｂ）は参考例としてウェットシートの積層体を構成するウェットシートの折り畳み方を示す斜視図、図２は図１（Ｂ）に示すウェットシートの組み合わせ方を説明する断面図、図３は本発明のウェットシートの積層体を容器に収納した状態の断面図、図４はウェットシートの折れ線の部分断面拡大図、図５はウェットシートを引き出すときの状態図である。
【０００９】
参考例のウェットシートの積層体を構成するウェットシート１１について述べる。図１（Ａ）に示す長方形のウェットシートの端部を、長辺方向の端部からほぼ１／４に位置する折れ線１５、１６に沿って、それぞれ反対面側に折り返えし折り畳み部を形成する。折り畳まれたウェットシート１１は、図１（Ｂ）に示すようなほぼＺ字型の形状となる。ウェットシート１１の折り畳み部では、折れ線１５と折れ線１６を境にして上側の折片１２と下側の折片１４とが形成される。この折片１２と折片１４との間に挟まれる面を中間面１３とする。
【００１０】
上記のようにして得られたウェットシート１１は、図２に示すように、それぞれ一枚ずつ左右交互に積み重ねられる。最上位にあるウェットシート１１ａの中間面１３と下側の折片１４とを形成する折り畳み部が、上から二番目に位置するウェットシート１１ｂの上側の折片１２と中間面１３とを形成する折り畳み部の内側に挟み込まれる。すなわち、最上位のウェットシート１１ａの下側の折れ線１６が、上から二番目に位置するウェットシート１１ｂの折り畳み部の上側の折れ線１５を形成する上側の折片１２と、中間面１３の内側に挟まれる。同様にして、複数のウェットシートが順に組み合わされて、図３に示すようなウェットシートの積層体３０を得る。この積層体３０は、例えば５０枚や１００枚等、多数のウェットシートを組み合せて構成され、上側に取出口３６を設けた容器３５に収納される。
【００１１】
図４は、本発明のウェットシートの積層体の最上位のウェットシート１１ａの下側の折れ線１６と二番目のウェットシート１１ｂの上側の折れ線１５の組み合わせ部分を拡大した部分断面図である。図４では、最上位のウェットシート１１ａの下側の折れ線１６と、二番目のウェットシート１１ｂの上側の折れ線１５との間に間隔４５が設けられている。このように、上位のウェットシート１１ａの中間面１３と下側の折片１４とを形成する下側の折れ線１６が、次に連続するウェットシート１１ｂの上側の折れ線１５を形成する折片１２と中間面１３とを形成する折れ線１５から幅方向において中央部側に離れるように組み合わされる。
【００１２】
以上のように構成されたウェットシートの積層体３０において、取出口３６が設けられている上側から順次ウェットシートが一枚ずつ取り出される。以下のウェットシートの取り出すときの状態を詳細に説明する。
【００１３】
図５は、図４に示した上位のウェットシート１１ａを取出口３６から引き出すときの状態を示している。積層されたウェットシートは液体を介してお互いに面接触しているが、その介在する液体の表面張力により、ウェットシートどうしはかなり強く密着していることがある。この場合において、最上位のウェットシート１１ａを取出口から引き出すと、図５に示すように、二番目のウェットシート１１ｂの上側の折片１２と中間面１３との間に、突部４６が形成される。詳細を述べると、最上位のウェットシート１１ａと二番目のウェットシート１１ｂとが面接触し、密着している状態において、折れ線１６が直線状に伸びたとき、間隔４５の分だけ二番目のウェットシート１１ｂにたるみができることにより、突部４６が形成される。
【００１４】
図５に示すように、突部４６の内側には、空隙４６ａが形成されやすい。空隙４６ａが形成されると、空隙４６ａにおいてウェットシート間に空気が介在して、ウエットシートどうしの密着がこの空隙４６ａの部分からさらに剥がれやすくなる。したがって、最上位のウェットシート１１ａを引き出すとき、それに密着した状態で引き出される二番目のウェットシート１１ｂは、突部４６の部分で分離しやすくなる。
【００１５】
また取出口３６の開口幅を比較的短くしておくと、ウエットシート１１ａを引き出すときに、前記突部４６が取出口３６の抵抗を強く受けやすくなる。よって、二番目のウェットシート１１ｂは、上側の折片１２が取出口３６から突出した時点で、突部４６が取出口３６で抵抗を受けて、最上位のウェットシート１１ａと分離し、最上位のウェットシート１１ａのみが引き出される。
【００１６】
このようにして、最上位のウェットシート１１ａを引き出すと、二番目のウェットシート１１ｂの上側の折片１２が突出し、突部４６より下側に位置する中間面１３と下側の折片１４は容器内に取り残される。そして、最上位のウェットシート１１ａのみを確実に手に取ることができる。よって、上位にあるウェットシートを引き出したとき、次に連続するウェットシートの突出量が長くなりすぎることがなく、また、突出量が安定するため、取出口３６より突出するウェットシートが乾燥することが少なく、さらには見た目にも美しい。容器３５に取出口３６の周囲を覆う蓋が設けられているものでは、取出口３６から突出したウエットシートが閉じられた蓋の面積内に収まりやすくなり、取出口３６を蓋で密封しやすい。
【００１７】
次に連続するウェットシートの突出量の調節を確実にするためには、ウェットシートの取り出されるウェットシートの下側の折れ線と、次に連続するウェットシートの上側の折れ線との間隔４５は３〜８ｍｍ程度であることが好ましい。さらに好ましくは、５ｍｍ程度である。
【００１８】
ちなみに取出口３６は突部４６に抵抗を与える機能を発揮するものであることが好ましい。例えば、取出口３６の開口幅は、ウェットシートの幅寸法より小さくすることが好ましい。取出口３６は、上位のウェットシートを引き出したとき、次に連続するウェットシートが上位のウェットシートに引きずられて必要以上に取出口３６から引き出されてしまうことを防止する、いわゆる抵抗部としての機能をもつ。
【００１９】
図６（Ａ）（Ｂ）は本発明の実施の形態のウェットシートの積層体を構成するウェットシートの折り畳み方を示す斜視図、図７はそのウェットシートの組み合わせ方を説明する断面図である。
【００２０】
図６（Ａ）では、長方形のウェットシートの端部を、長辺方向の端部からほぼ１／５に位置する折れ線１５と、端部からほぼ２／５に位置する折れ線１６とに沿って、それぞれ反対面側に折り返し、折り畳み部を形成する。得られたウェットシート２１は図６（Ｂ）に示すような変形したＺ字型の形状となる。ウェットシート２１の折り畳み部では、折れ線１５、１６を境にして上側の折片１２、下側の折片１４とが形成される。この折片１２と折片１４との間に挟まれる面を中間面１３とする。
【００２１】
上記のようにして得られたウェットシート２１は、図７に示すように、それぞれ一枚ずつ左右交互に積み重ねられる。最上位にあるウェットシート２１ａの中間面１３と下側の折片１４とを形成する折り畳み部の下側の折れ線１６が、上から二番目に位置するウェットシート２１ｂの折り畳み部の上側の折れ線１５を形成する上側の折片１２と、中間面１３との内側に挟まれる。また、ウェットシート２１の下側の折片１４の全面が、二番目に位置するウェットシート２１ｂの中間面１３、および三番目に位置するウェットシート２１ｃの上側の折片１２と必ず面接触するようにして組み合わされている。そして、上位のウェットシート２１ａの下側の折れ線１６と、下位の上側の折れ線１５との間には、図４に示したように間隔が空けられるようにして、複数のウェットシートが順に組み合わせて、ウェットシートの積層体を得る。
【００２２】
取出口から最上位のウェットシート２１ａを、端部１７の部分を摘まんで引き出すとき、図３で示したウェットシートの積層体３０と同様に、下位のウェットシートの上側の折れ線１５の部分に突部が形成される。この突部内には空隙が形成され、この部分でウエットシートどうしが分離しやすくなる。したがって、最上位のウェットシート２１ａを引き出すとき、それに密着した状態で引き出される二番目のウェットシート２１ｂは、突部４６の部分で分離しやすく、また取出口３６による抵抗も強く受けやすくなる。よって、二番目のウェットシート２１ｂは、上側の折片１２が取出口３６から突出した時点で、最上位のウェットシート２１ａと分離し、最上位のウェットシート２１ａのみが引き出される。
【００２３】
なお、図７に示した組み合わせによって得られるウェットシートの積層体では、ウェットシートの突出量をウェットシートの幅寸法のほぼ１／５と、さらに短くできる。
【００２４】
ウェットシート１１、２１は天然繊維及び／又は合成繊維からなる不織布や紙である。例えばポリエチレンやポリプロピレンを用いた、湿潤強度の高いスパンレース不織布である。ウェットシート１１の大きさは、使用目的や、容器又は包装体の大きさによって適宜大きさが変えられる。ウェットシート１１、２１には水、アルコール、保湿剤、界面活性剤、香料、防腐剤、防黴剤、などが含浸されている。
【００２５】
容器３５は、ポリエチレン、ポリプロピレンなどの合成樹脂で形成された比較的硬質なものである。取出口３６には、突出したウェットシートを乾燥させないため、容器全体を密封できるように蓋体が形成されることが好ましい。また、硬質な容器３５の代わりに、不透液性のフィルムで形成される包装体を用いてウェットシートの積層体を収納してもよい。その他、本発明のウェットシートの積層体が収納された包装体をさらに硬質な容器に収納して使用する、いわゆる詰め換え方式で使用されることもできる。
【００２６】
また、本発明のウェットシートの積層体においては、ウェットシートの折れ線の位置を調整することによって、その突出量を用途に応じたものに調整することができる。したがって、折り畳み部、すなわち折れ線の位置は端部から１／４や１／５でなくてもかまわない。例えば１／６に位置していても良い。
【００２７】
【発明の効果】
以上詳述したように、本発明のウェットシートの積層体は、ウェットシートどうしが強く密着していても、ウェットシートを引き出したときに、次に連続するウェットシートの突出量を確実に調整することができる。
【図面の簡単な説明】
【図１】（Ａ）（Ｂ）は本発明の参考例としてウェットシートの積層体のウェットシートの折り畳み方を示す斜視図
【図２】図１のウェットシートの組み合わせ構造を説明する断面図
【図３】本発明の参考例であるウェットシート製品の断面図
【図４】本発明の参考例であるウェットシートの積層体の部分断面図
【図５】図５のウェットシートを引き出す過程の説明図
【図６】（Ａ）（Ｂ）は本発明の実施の形態のウェットシートの積層体のウェットシートの折り畳み方を示す斜視図
【図７】図６のウェットシートの組み合わせ方を説明する断面図
【図１】
0003730030.tif 000002
【図２】
0003730030.tif 000003
【図３】
0003730030.tif 000004
【図４】
0003730030.tif 000005
【図５】
0003730030.tif 000006
【図６】
0003730030.tif 000007
【図７】
0003730030.tif 000008